(57)【要約】      （修正有）【課題】より操作性を向上させることができる画像処理装置及び画像処理方法を提供する。【解決手段】複合機の制御部は、受付部で受け付けた操作がアドレス一覧を選択する操作であると判定した場合、アドレス情報の要求を外部装置に送信しＳ３２２、アドレス情報を受信した場合Ｓ３２３、受信したアドレス情報を選択する操作画面を表示しＳ３２４、アドレス情報を選択する操作を受け付けた場合Ｓ３２５、選択されたアドレス情報をアドレス保存手段に保存するＳ３２６。【選択図】図１０
2020092406.tif 000002
【特許請求の範囲】
【請求項１】
操作を受け付けるための操作画面を表示する表示部と、前記操作画面に対応する操作を受け付ける受付部と、該受付部で受け付けた操作に応じて画像処理を行なう画像処理部とを備える画像処理装置において、
前記画像処理部は、原稿の読み取りを行なう原稿読取手段及び電子メールアドレスをアドレス帳に保存するアドレス保存手段を有しており、
無線通信により通信を行なう無線通信手段と、
前記受付部で受け付けた操作がアドレス一覧を選択する操作であるか否かを判定する判定手段と、
該判定手段がアドレス一覧を選択する操作であると判定した場合、アドレス情報の要求を外部装置へ送信する要求送信手段と、
要求したアドレス情報を受信するアドレス受信手段と、
該アドレス受信手段がアドレス情報を受信した場合、前記表示部に表示している操作画面を、受信したアドレス情報を表示させるアイコンを含み該アイコンを選択する操作を受け付けるための画面に変更する第１変更手段と、
該第１変更手段が前記アイコンを選択する操作を受け付けた場合、前記表示部に表示している画面を、前記アドレス受信手段が受信したアドレス情報を含み該アドレス情報を選択する操作を受け付けるための画面に変更する第２変更手段と
を備え、
該第２変更手段がアドレス情報を選択する操作を受け付けた場合、選択されたアドレス情報を前記アドレス保存手段により前記アドレス帳に保存するようにしてある
ことを特徴とする画像処理装置。
【請求項２】
前記原稿読取手段により原稿を読み取った場合、読み取った原稿を前記外部装置へ送信するようにしてあることを特徴とする請求項１に記載の画像処理装置。
【請求項３】
前記無線通信手段は、前記外部装置と１対１の通信を行なうようにしてあることを特徴とする請求項１又は２に記載の画像処理装置。
【請求項４】
操作を受け付けるための操作画面を表示する表示部と、前記操作画面に対応する操作を受け付ける受付部と、該受付部で受け付けた操作に応じて原稿の読み取り及び電子メールアドレスのアドレス帳への保存を含む画像処理を行なう画像処理部と、無線通信により通信を行なう無線通信部とを備える画像処理装置で画像処理を行なう方法において、
前記受付部で受け付けた操作がアドレス一覧を選択する操作であるか否かを判定するステップと、
アドレス一覧を選択する操作であると判定した場合、アドレス情報の要求を外部装置へ送信するステップと、
要求したアドレス情報を受信するステップと、
アドレス情報を受信した場合、前記表示部に表示している操作画面を、受信したアドレス情報を表示させるアイコンを含み該アイコンを選択する操作を受け付けるための画面に変更するステップと、
前記アイコンを選択する操作を受け付けた場合、前記表示部に表示している画面を、受信したアドレス情報を含み該アドレス情報を選択する操作を受け付けるための画面に変更するステップと、
アドレス情報を選択する操作を受け付けた場合、選択されたアドレス情報を前記アドレス帳に保存するステップと
を含むことを特徴とする画像処理方法。
【発明の詳細な説明】
【技術分野】
【０００１】
本発明は、通信装置と画像処理装置とが、無線通信により画像処理に係る情報を送受信する画像処理システムに関する。特に、操作性を向上させることができる画像処理装置及び画像処理方法に関する。
【背景技術】
【０００２】
所謂スマートフォンと呼ばれる可搬型の通信装置が広く普及している。この手の通信装置は、カメラ、ゲーム、及びメディアプレーヤーなどの機能に加え、種々のアプリケーションを追加して多様な機能を持たせることができるなど利便性が高い。
【０００３】
昨今では、無線通信機能を有する複合機（ＭＦＰ：Multi Function Peripheral ）が接続されているネットワークに、通信装置が無線通信により接続し、通信装置が複合機との間で情報を送受信する技術が普及している。なかでも、カメラ機能を有する通信装置から無線通信により、ネットワーク内の複合機へ画像データを送信し、記憶媒体、ＵＳＢケーブル、又はパーソナルコンピュータ等を介さずに複合機にて直接的に印刷出力することが可能なシステムが実現されている。また、複合機にて原稿を読み取って得られた画像のデータを通信装置へ送信させる仕組みも提案されている。
【０００４】
通信装置と複合機との間で通信を確立し、データを送受信させるために、ユーザが通信装置に、複合機が接続されているネットワークの情報を登録するなどの操作が必要である。更に、複合機から通信装置へデータを送信させるために、ユーザが複合機に、通信装置の宛先情報を登録する操作も必要となる。このように操作が煩雑である場合、ユーザは誤った操作を行なったり、複合機の利用を控えたりすることになる。したがって、操作の煩雑さを解消する必要がある。
【０００５】
特許文献１には、ＬＡＮに接続されたクライアントＰＣ（パーソナルコンピュータ）上のＷｅｂブラウザにおける設定画面内に、ユーザが設定ファイルをドラッグアンドドロップ操作することにより、同一のＬＡＮに接続されている複合機へ、ユーザ用のワンタッチキー、アドレス帳を表示させるようにすることができる発明が開示されている
【先行技術文献】
【特許文献】
【０００６】
【特許文献１】特開２００７−３００４８０号公報
【発明の概要】
【発明が解決しようとする課題】
【０００７】
可搬型の情報端末装置から直接的に、複合機と通信することが実現されているから、更に、設定操作などを可能な限り省いて操作性を向上させ、より利用しやすい仕組みとすることが求められている。特許文献１に開示されている発明では、ユーザ用に設定された操作画面を表示することが出来るに過ぎず、依然としてユーザは自身用の設定を作成する操作を行なう必要がある。したがって、求められる操作性の向上、操作の簡略化には未だ不十分と言える。
【０００８】
本発明は斯かる事情に鑑みてなされたものであり、より操作性を向上させることができる画像処理装置及び画像処理方法を提供することを目的とする。
【課題を解決するための手段】
【０００９】
本発明に係る画像処理装置は、操作を受け付けるための操作画面を表示する表示部と、前記操作画面に対応する操作を受け付ける受付部と、該受付部で受け付けた操作に応じて画像処理を行なう画像処理部とを備える画像処理装置において、前記画像処理部は、原稿の読み取りを行なう原稿読取手段及び電子メールアドレスをアドレス帳に保存するアドレス保存手段を有しており、無線通信により通信を行なう無線通信手段と、前記受付部で受け付けた操作がアドレス一覧を選択する操作であるか否かを判定する判定手段と、該判定手段がアドレス一覧を選択する操作であると判定した場合、アドレス情報の要求を外部装置へ送信する要求送信手段と、要求したアドレス情報を受信するアドレス受信手段と、該アドレス受信手段がアドレス情報を受信した場合、前記表示部に表示している操作画面を、受信したアドレス情報を表示させるアイコンを含み該アイコンを選択する操作を受け付けるための画面に変更する第１変更手段と、該第１変更手段が前記アイコンを選択する操作を受け付けた場合、前記表示部に表示している画面を、前記アドレス受信手段が受信したアドレス情報を含み該アドレス情報を選択する操作を受け付けるための画面に変更する第２変更手段とを備え、該第２変更手段がアドレス情報を選択する操作を受け付けた場合、選択されたアドレス情報を前記アドレス保存手段により前記アドレス帳に保存するようにしてあることを特徴とする。
【００１０】
本発明に係る画像処理装置は、前記原稿読取手段により原稿を読み取った場合、読み取った原稿を前記外部装置へ送信するようにしてあることを特徴とする。
【００１１】
本発明に係る画像処理装置は、前記判定手段が電子メールアドレスの保存を要求する実行要求であると判定した場合、前記アドレス保存手段により保存すべき電子メールアドレスの送信要求を、前記無線通信手段により前記外部装置へ送信する手段を備えることを特徴とする。
【００１２】
本発明に係る画像処理装置は、前記外部装置から送信された電子メールアドレスを受信するアドレス受信手段と、該アドレス受信手段が受信した電子メールアドレスを選択する操作を受け付けるための操作画面を前記表示部に表示させる表示制御手段とを更に備え、前記アドレス保存手段は、前記受付部が電子メールアドレスを選択する操作を受け付けた場合に、選択された電子メールアドレスを保存するようにしてあることを特徴とする。
【００１３】
本発明に係る画像処理装置は、前記無線通信手段は、前記外部装置と１対１の通信を行なうようにしてあることを特徴とする。
【００１４】
本発明に係る画像処理方法は、操作を受け付けるための操作画面を表示する表示部と、前記操作画面に対応する操作を受け付ける受付部と、該受付部で受け付けた操作に応じて原稿の読み取り及び電子メールアドレスのアドレス帳への保存を含む画像処理を行なう画像処理部と、無線通信により通信を行なう無線通信部とを備える画像処理装置で画像処理を行なう方法において、前記受付部で受け付けた操作がアドレス一覧を選択する操作であるか否かを判定するステップと、アドレス一覧を選択する操作であると判定した場合、アドレス情報の要求を前記外部装置へ送信するステップと、要求したアドレス情報を受信するステップと、アドレス情報を受信した場合、前記表示部に表示している操作画面を、受信したアドレス情報を表示させるアイコンを含み該アイコンを選択する操作を受け付けるための画面に変更するステップと、前記アイコンを選択する操作を受け付けた場合、前記表示部に表示している画面を、受信したアドレス情報を含み該アドレス情報を選択する操作を受け付けるための画面に変更するステップと、アドレス情報を選択する操作を受け付けた場合、選択されたアドレス情報を前記アドレス帳に保存するステップとを含むことを特徴とする
【００１５】
本発明では、操作画面に対応する操作を受け付けて、画像処理を行なう画像処理装置に、外部の通信装置から接続要求があった場合、画像処理の実行要求が画像処理装置にて受信される。受信された実行要求が電子メールアドレスの保存を要求する実行要求である場合、電子メールアドレスがアドレス帳に保存される。
【００１６】
本発明では、通信装置から接続要求があった場合、該通信装置との間で送受信する情報に基づく画像処理を選択するための操作画面へ変更される。
【００１７】
本発明では、画像処理装置にて受信された実行要求が電子メールアドレスの保存を要求する実行要求である場合、保存すべき電子メールアドレスの送信要求が通信装置に要求される。
【００１８】
本発明では、外部装置から受信して表示部に表示させた電子メールアドレスのうち、選択された電子メールアドレスを保存する。
【００１９】
本発明では、画像処理装置と通信装置とは直接的に、例えばアドホックモードにて通信を行なう。これにより、１台の通信装置との接続のみが確立されるように制御される。
【００２０】
なお、本発明では、画像処理装置にて生成された画像データを提供するための提供情報として、画像処理装置に接続される通信装置のＩＰアドレス情報、電子メールアドレス情報、若しくは電話番号の情報が生成されてもよい。また、生成された画像データの提供先は、接続される通信装置には限られず、他の通信装置、又は、該他の通信装置からアクセスすることが可能な記録装置でもよい。その場合、提供情報は、前記記録装置内のパス情報、又はＵＲＬ情報であり、外部の通信装置はパス情報又はＵＲＬ情報に基づき、生成された画像データを取得することが可能である。画像処理装置にて、これらの提供情報が作成されるので、外部の通信装置での操作が簡略化される。
【００２１】
また本発明では、画像処理装置にて印刷出力する対象の画像データのリストが、接続された通信装置又は他の通信装置を含む外部装置から自動的に取得されて表示部に選択可能に表示されてもよい。これにより、印刷出力を実行するまでの操作が簡略化される。
【００２２】
通信装置との通信が切断されてデフォルトの操作画面へ戻されるに際し、変更の確認がなされ、変更する選択がされた場合のみに戻されるようにすることにより、ユーザの操作を簡略化してもよい。
【００２３】
更に、画像処理装置に通信装置が接続されたとしても、所定期間以上操作がされない場合には、画面が元の所定の操作画面に戻されるようにすることにより、誤った操作を受け付けることを防止するようにしてもよい。
【００２４】
画像処理装置における画像処理に関する操作は、無線通信により通信装置が外部から接続された場合のみ受け付けられるようにしてもよい。これにより、画像処理に関する操作が錯綜することを防止することが可能である。
【発明の効果】
【００２５】
本発明による場合、画像処理装置における操作が、当該画像処理装置に無線通信により接続される通信装置の有無に応じて自動的に変更されるので、無線通信に係る画像処理の操作が簡略化される。これにより、ユーザによる操作性を更に向上させることができる。また、１台の通信装置との接続のみが確立されるように制御されることにより、複数の通信装置から送信される情報に基づく画像処理が錯綜することを防止することができる。
【図面の簡単な説明】
【００２６】
【図１】実施の形態１の画像処理システムの構成を模式的に示す模式図である。
【図２】実施の形態１の画像処理システムの構成を示すブロック図である。
【図３】実施の形態１における複合機にて実行される画面変更手順の一例を示すフローチャートである。
【図４】複合機の表示部に表示される初期的画面の画面例を示す説明図である。
【図５】コピー機能の操作画面例を示す説明図である。
【図６】複合機の表示部に表示させる変更後の画面例を示す説明図である。
【図７】モバイルスキャン機能の操作画面例を示す説明図である。
【図８】実施の形態２における画像処理システムにて実行される処理手順の一例を示すフローチャートである。
【図９】実施の形態３における複合機にて実行される処理手順の一例を示すフローチャートである。
【図１０】実施の形態３における複合機にて実行される処理手順の一例を示すフローチャートである。
【図１１】実施の形態３における画像データの一覧が表示される画面例を示す説明図である。
【図１２】実施の形態３におけるアドレス一覧の画面例を示す説明図である。
【図１３】通信装置から受信したアドレス情報の一覧表示画面の例を示す説明図である。
【図１４】実施の形態４における複合機にて実行される処理手順の一例を示すフローチャートである。
【図１５】通信装置との通信が切断されたと判断した場合に複合機が表示する画面例を示す説明図である。
【図１６】実施の形態５における複合機にて実行される画面変更手順の一例を示すフローチャートである。
【図１７】実施の形態５において表示部に表示されるメッセージの例を示す説明図である。
【図１８】実施の形態６における画像処理システムにて実行される処理手順の一例を示すフローチャートである。
【発明を実施するための形態】
【００２７】
以下、本発明をその実施の形態を示す図面に基づき具体的に説明する。
【００２８】
（実施の形態１）
図１は、実施の形態１の画像処理システムの構成を模式的に示す模式図であり、図２は、実施の形態１の画像処理システムの構成を示すブロック図である。画像処理システムは、企業内、公共施設内、又は家庭内等に設置される複合機１と、ユーザが所持する通信装置２とを含む。複合機１は、アドホックモードによって無線通信の有効エリア内に存在する１台の通信装置２と直接的に無線通信による接続を確立する。なお複合機１は、通信装置２との通信接続以外に、企業内、公共施設内又は家庭内のＬＡＮに接続されていてもよいし、外部のインターネットと接続されていてもよい。
【００２９】
本発明では、このような画像処理システムにて、複合機１にて、ユーザが所持する通信装置２からの情報に基づきスキャンを実行したり、プリント出力したりするに際し、通信装置２を所持するユーザが行なうべき操作を出来る限り簡略化する。
【００３０】
複合機１は、読取機能（スキャナ）、印刷出力機能（プリンタ）、ＦＡＸ機能等を備えて画像データに対する処理を行なう画像処理装置である。複合機１は、各構成部を制御する制御部１０と、タッチパネル及びＬＣＤ（Liquid Crystal Display）を用いた入出力部１１と、一時記憶部１２と、各種情報を記憶する記憶部１３と、通信装置２との通信を実現する通信部１４と、読取機能を実現するための画像読取部１５と、印刷出力機能を実現する画像形成部１６とを備える。複合機１は、そのほかに、電話網を介してＦＡＸ通信を行なうためのＦＡＸ通信部等、多数の機能を実現するための構成部を有するが、ここでは図示及び詳細な説明を省略する。
【００３１】
制御部１０は、ＣＰＵ（Central Processing Unit ）を用い、内蔵するＲＯＭ（Read Only Memory）に記憶されている制御プログラムに基づき、各構成部を制御する。
【００３２】
入出力部１１は、ＬＣＤを用いた表示部１１ａとタッチパネルを用いた操作部１１ｂとを含む。操作部１１ｂは、タッチパネルのみならず、ハードウェアキーを用いてもよい。各種アイコン又はボタンを表示している表示部１１ａに対し、ユーザが触れたタッチパネル上の位置を操作部１１ｂが検知する。ユーザが触れた位置情報と表示部１１ａにて表示されているアイコン又はボタンの位置情報とに基づき、制御部１０は、いずれのアイコン又はボタンがタッチされたかを特定することが可能である。また制御部１０は、いずれのハードウェアキーが押下されたかを特定することが可能である。
【００３３】
一時記憶部１２は、ＤＲＡＭ（Dynamic Random Access Memory）又はＳＲＡＭ（ Static Random Access Memory）等のＲＡＭを用いる。一時記憶部１２は、制御部１０の処理によって発生する各種処理用の一時的な情報を記憶する。また、一時記憶部１２は、複合機１のスキャン又はプリンタ機能へ無線通信を介してアクセスするためのアクセスキー（許可情報）を記憶する。アクセスキーについては後述にて詳細に説明する。
【００３４】
記憶部１３は、ＨＤＤ（Hard Disk Drive ）又はＳＳＤ（Solid State Drive ）を用いる。記憶部１３には、ファックス機能、電子メール通信機能、ＦＴＰ（File Transfer Protocol）通信機能のためのアドレス情報が記憶されていてもよい。また記憶部１３は、画像読取部１５によって読み取られた画像データ、又は通信部１４を介して受信した画像データを記憶してもよい。
【００３５】
通信部１４は、無線通信機能を実現する。制御部１０は、通信部１４により、通信装置２との間で無線通信によりデータを送受信することが可能である。なお通信部１４は、アドホックモードにて１台の通信装置２と接続し、同時的に複数の通信装置２と通信接続することはできないようにしてある。また通信部１４は、アクセスポイントの機能、即ち無線ＬＡＮにおける親機の機能を有する。なお、通信部１４による通信は、アドホックモードに限られない。複数の通信装置２と同時的に通信接続することを排除できれば、他の方法であってもよい。また、通信部１４は複合機１が備える図示しないＵＳＢ（Universal Serial Bus）などのインタフェースであって、当該インタフェースにアクセスポイント機能を有する無線通信装置が接続されることで通信が実現される構成としてもよい。
【００３６】
画像読取部１５は、スキャナユニットを用いる。スキャナユニットは、原稿台１５ａ又は原稿トレイに載置された原稿を光学的に読み取るための読取装置であり、複合機１の本体内部に光学ユニットと光学ユニットによる読取動作を制御するための制御ユニットとを含む。画像読取部１５は、原稿を読み取ることで得られた画像データを所定の画像メモリに出力し、制御部１０は当該画像メモリから画像データを取得することが可能である。
【００３７】
画像形成部１６は、プリンタユニットを用いる。プリンタユニットは、複合機１の本体内部に、スキャナユニットの下側に配置される。プリンタユニットは、制御部１０から与えられた画像データに基づいてトナー像を生成し、トナー像を用紙上に転写することによって画像形成を行なう。
【００３８】
通信装置２は、所謂スマートフォンと呼ばれる携帯電話機である。通信装置２は、タブレット型ＰＣ（パーソナルコンピュータ）であってもよい。通信装置２は、各構成部を制御する制御部２０と、タッチパネルを用いた入出力部２１と、各種情報を記憶する記憶部２２と、アクセスポイントＡＰを介して複合機１と通信を実現する通信部２３とを備える。
【００３９】
制御部２０は、ＣＰＵを用い、内蔵するＲＯＭに記憶されている制御プログラムに基づき、各構成部を制御する。
【００４０】
入出力部２１は、ＬＣＤを用いて表示部２１ａとタッチパネル及びハードウェアキーを用いた操作部２１ｂとを含む。各種アイコン又はボタンを表示している表示部２１ａに対し、ユーザが触れたタッチパネル上の位置を操作部２１ｂが検知し、操作部２１ｂはユーザが触れた位置情報を制御部２０へ通知する。制御部２０は、表示部２１ａにて表示されているアイコン又はボタンの位置情報に基づき、いずれのアイコン又はボタンがタッチされたかを特定することが可能である。また操作部２１ｂは、ハードウェアキーが押下された場合、いずれのキーが押下されたかを特定する情報と共に制御部２０へ通知する。
【００４１】
記憶部２２は、ＲＡＭ及びフラッシュメモリを用いる。記憶部２２のフラッシュメモリには、ネットワークＮに接続される複合機１にて画像データの印刷出力（プリント）又は原稿読取（スキャン）を行なうために用いられるアプリケーションプログラム（以下、プリントスキャン用アプリという）が記憶されている。制御部２０は、記憶部２２に記憶されているプリントスキャン用アプリを読み出して実行することにより、後述する複合機１との通信、及び複合機１との間の画像データの送受信を実現する。
【００４２】
また、記憶部２２には、プリントスキャン用アプリに対応させて、設定情報として、受信する画像データを読み取る際の解像度設定、ファイルタイプ（フォーマット）、カラー／モノクローム設定、読み取る原稿のサイズ、及び作成する画像データのサイズ（縮小の有無）などの設定情報が記憶されている。また、送信する画像データに基づく印刷出力のための印刷サイズ設定、カラー／モノクローム設定、印刷品質設定などの設定情報でもよい。設定情報は、プリントスキャン用アプリにて初期的に設定されており、後に、プリントスキャン用アプリを介してユーザが編集することが可能である。設定情報は異なる複合機毎に別途記憶されるようにしてもよい。また設定情報には、通信装置２のユーザ名（ユーザＩＤ）を含んでもよい。
【００４３】
記憶部２２には、フラッシュメモリに画像データを記憶していてもよい。制御部２０は、記憶部２２のフラッシュメモリに記憶している画像データを、通信部２３により複合機１へ送信することが可能である。また、通信部２３により受信した画像データを記憶部２２のＲＡＭに一時的に記憶するか、又は保存用にフラッシュメモリに記憶してもよい。
【００４４】
記憶部２２には、フラッシュメモリにアドレス帳の情報が記憶されている。制御部２０は、記憶部２２のフラッシュメモリに記憶されているアドレス帳の情報に基づき、メーラ機能により電子メールを送信するなどが可能である。
【００４５】
通信部２３は、無線通信機能を実現する。制御部２０からの指示に基づき、複合機１の通信部１４に接続し、複合機１との間で画像データを含む各種情報を送受信することが可能である。
【００４６】
このように構成される画像処理システムにて、複合機１にて通信装置２が接続された場合に表示される画面が変更される手順について、フローチャート及び操作画面例を参照しつつ説明する。
【００４７】
図３は、実施の形態１における複合機１にて実行される画面変更手順の一例を示すフローチャートである。
【００４８】
複合機１の制御部１０は、通信部１４により通信装置２からの接続要求を受信したか否かを判断する（ステップＳ１１）。制御部１０は、接続要求を受信していないと判断した場合（Ｓ１１：ＮＯ）、処理をステップＳ１１へ戻し、接続要求を受信したと判断するまで待機する。
【００４９】
この間に、通信装置２の制御部２０は、アクセスポイント即ち複合機１の通信部１４を検索し、複合機１のＳＳＩＤ等の識別情報を取得し、取得した識別情報に基づき、複合機１へ接続要求を送信する。なお、制御部２０は、検索を行なうことなしに操作部２１ｂにより直接的にユーザから入力される複合機１のＳＳＩＤを取得するようにしてもよい。
【００５０】
複合機１の制御部１０は、ステップＳ１１にて接続要求を受信したと判断した場合（Ｓ１１：ＹＥＳ）、通信装置２との無線通信接続を確立すべく、通信装置２のネットワーク識別情報を発行し（ステップＳ１２）、通信装置２へ送信する（ステップＳ１３）。ここでネットワーク識別情報として制御部１０は例えば、複合機１の通信部１４のＩＰアドレスが「192.168.9.10」である場合、通信装置２に「192.168.0.20」等のＩＰアドレスを割り当てる。これにより、複合機１と通信装置２との間の無線通信接続が確立される。
【００５１】
次に制御部１０は、表示部１１ａに表示している操作画面を通信装置２との間で送受信する情報に基づく画像処理に関する操作画面へ変更し（ステップＳ１４）、待機状態となる。
【００５２】
ステップＳ１４の後、制御部１０は、変更後の操作画面に対応する操作を受け付け（ステップＳ１５）、操作に応じて画像読取部１５によるスキャン、又は画像形成部１６によるプリントの画像処理を実行し（ステップＳ１６）、処理を終了する。
【００５３】
図４は、複合機１の表示部１１ａに表示される初期的画面の画面例を示す説明図である。初期的画面（デフォルト画面）には、複合機１によって実行できる各機能の内、通信装置２が必須ではない機能のアイコン１１０〜１１３が表示されている。図４の画面例では、初期的画面はコピーを開始するためのアイコン１１０、スキャン（画像読取）を実行するためのアイコン１１１、プリント（印刷出力）を実行するためのアイコン１１２、及び、複合機１の記憶部１３に登録されるアドレス情報を選択・編集するためのアイコン１１３が含まれる。ユーザは各アイコン１１０〜１１３の内のいずれかの上のタッチパネルに触れることにより、各機能を複合機１に実行させることができる。例えば、ユーザがアイコン１１０上のタッチパネルに指などで触れた場合、制御部１０がこれを検知し、コピー機能を実行するための設定条件等を含む操作画面を表示部１１ａに表示させる。
【００５４】
図５は、コピー機能の操作画面例を示す説明図である。コピー機能が選択された場合、図５に示すように、表示部１１ａには、原稿サイズ、コピー倍率、コピー部数などの設定が可能なプルダウンメニューが表示され、また、コピーを実行させるコピースタートボタンが表示される。ユーザは各項目を設定後にコピースタートボタン上のタッチパネルに触れることで、原稿台１５ａ上に載置した原稿のコピーを印刷出力させることができる。
【００５５】
図４に示した初期的画面に対し、通信装置２が複合機１に接続することによって変更される画面について説明する。図６は、複合機１の表示部１１ａに表示させる変更後の画面例を示す説明図である。図６に示す画面例では、図４に示した初期的画面に対し、「モバイルスキャン」という名前のアイコン１１４、及び「モバイルプリント」という名前のアイコン１１５が追加されている。ユーザはアイコン１１４上のタッチパネルに触れることにより、複合機１が原稿をスキャンして得られた画像データを通信装置２又は他の通信装置に提供させる機能を実行させることができる。また、ユーザはアイコン１１５上のタッチパネルに触れることにより、通信装置２に記憶されている画像データ又は他の通信装置に記憶されている画像データに基づき複合機１が印刷出力する機能を実行させることが可能である。例えば、図６に示す画面が表示部１１ａに表示されている状態で、ユーザがアイコン１１４上のタッチパネルに触れた場合、制御部１０がこれを検知し、モバイルスキャン機能を実行するための操作画面を表示部１１ａに表示させる。
【００５６】
図７は、モバイルスキャン機能の操作画面例を示す説明図である。モバイルスキャン機能が選択された場合、図７に示すように、表示部１１ａには、読み取る原稿サイズ、生成する画像データのファイル形式、カラー／モノクローム設定などの設定が可能なプルダウンメニューが表示され、また、スキャンを実行させるスキャンスタートボタンが表示される。プルダウンメニューは他に、読み取る際の解像度、圧縮形式、圧縮率等を含んでもよい。ユーザが各プルダウンメニュー上のタッチパネルに触れた場合、制御部１０は各項目の選択肢を選択可能に表示し、選択された情報を取得することができる。これにより、ユーザはスキャンの設定情報を編集することが可能である。そして、ユーザは各項目を設定した後に、スキャンスタートボタン上のタッチパネルに触れることで、原稿台１５ａ上に載置した原稿のスキャンが開始される。
【００５７】
複合機１の制御部１０は、図７の画面例でスキャンスタートボタン上のタッチパネルが触れられたことを操作部１１ｂにより検知した場合、原稿台１５ａ上の原稿を画像読取部１５により読み取り、画像データを生成する。即ち上述のフローチャートに示した処理手順の内のステップＳ１６にて制御部１０は、原稿を読み取って画像データを生成し、発行したネットワーク識別情報に基づき、生成した画像データを通信装置２へ送信する処理を実行する。
【００５８】
これにより、ユーザは所持する通信装置２が接続したことで変更された操作画面から通信装置２に関する機能を実現するためのインタフェースを容易に認識して選択することができる。複合機１がアクセスポイント機能によって通信装置２にネットワーク識別情報を発行し、宛先を認識できる。そのため、スキャンを実行して得られた画像データを送信するに際し、ユーザが複合機１の操作部１１ｂを操作して宛先情報を登録する等の操作を行なう必要がない。また、通信装置２と複合機１とではアドホックモードにて通信を行なうために、複数のユーザが夫々所持する通信装置からの接続が混在することはない。したがって、１人のユーザが通信装置２を接続させて複合機１を操作している間に、他の通信装置２を所持するユーザが複合機１を操作することはできず、誤送信が発生することはない。
【００５９】
（実施の形態２）
実施の形態２では、複合機１は、接続してきた通信装置２から画像データの提供先に関する情報、又は、通信装置２に記憶されている画像データ、又は、通信装置２に記憶されている各種情報の送信を通信装置２へ要求する処理を行ない、通信装置２から受信した情報に基づき処理を行なう。
【００６０】
実施の形態２における画像処理システムのハードウェア的な構成は、実施の形態１における構成と同様である。したがって、実施の形態１と共通する構成には同一の符号を付し、夫々の詳細な説明を省略する。
【００６１】
図８は、実施の形態２における画像処理システムにて実行される処理手順の一例を示すフローチャートである。
【００６２】
通信装置２の制御部２０は、プリントスキャン用アプリが起動された場合、通信部２３によりアクセスポイントを検索する（ステップＳ２０１）。検索結果のアクセスポイントの情報を表示部２１ａに表示させ（ステップＳ２０２）、複合機１に対応するアクセスポイントの選択を受け付ける（ステップＳ２０３）。制御部２０は、複合機１のアクセスポイント（通信部１４）へ、接続要求を送信する（ステップＳ２０４）。なお、ステップＳ２０４にて、通信装置２の制御部２０は、スキャン又はプリントなど、複合機１にて実行されるべき画像処理が決まっている場合、画像処理の内容を指定した実行要求を含む接続要求を送信する。
【００６３】
複合機１の制御部１０は、通信装置２からの接続要求を受信し（ステップＳ２０５）、通信装置２との無線通信接続を確立すべく、通信装置２のネットワーク識別情報を発行する（ステップＳ２０６）。制御部１０は、発行したネットワーク識別情報を通信装置２へ送信する（ステップＳ２０７）。
【００６４】
通信装置２の制御部２０は、送信されたネットワーク識別情報を受信する（ステップＳ２０８）。これにより、複合機１と通信装置２との間の無線通信接続が確立される。
【００６５】
制御部１０は、接続要求に基づき、通信装置２から情報取得が必要か否かを判断する（ステップＳ２０９）。例えば制御部１０は、受信した接続要求に実行要求が含まれており、その実行要求が指定する画像処理の内容が、通信装置２へ送信する画像データのスキャン及び当該画像データの送信である場合、スキャンを実行するための設定情報の情報が必要であるなどと判断する。
【００６６】
制御部１０は、情報取得が必要でないと判断した場合（Ｓ２０９：ＮＯ）、表示部１１ａに表示している画面を、通信装置２との間で送受信する情報に基づく画像処理に関する操作画面へ変更し（ステップＳ２１０）、待機状態となる。このとき表示される操作画面は例えば、図６に示したように、通信装置２が接続されたことに応じて選択できる機能が増えた画面である。
【００６７】
制御部１０は、ステップＳ２０９にて、情報取得が必要であると判断した場合（Ｓ２０９：ＹＥＳ）、通信装置２へ必要な情報の送信要求を送信する（ステップＳ２１１）。
【００６８】
通信装置２では、制御部２０が通信部２３により、複合機１からの情報の送信要求を受信し（ステップＳ２１２）、受信した送信要求に応じた情報を送信する（ステップＳ２１３）。例えば制御部２０は、通信部２３から記憶部２２のフラッシュメモリから読み出した設定情報を送信する。
【００６９】
複合機１の制御部１０は、ステップＳ２１１にて要求した情報を受信し（ステップＳ２１４）、受信した情報を一時記憶部１２に一時的に記憶する（ステップＳ２１５）。制御部１０は、受信した情報に基づき操作画面を変更し（ステップＳ２１６）、待機状態となる。このとき表示される操作画面は例えば、図７に示したように、実行される機能に応じた操作画面となる。
【００７０】
これにより、ユーザによる複合機１における操作及び通信装置２における操作を簡略化することが可能となる。
【００７１】
なおステップＳ２０９において、通信装置２からの取得が必要な情報としては例えば以下のようなものが考えられる。
【００７２】
上述したように複合機１の制御部１０は、モバイルスキャン、即ち画像読取部１５による画像処理を実行する際の設定情報を要求する。設定情報とは、読み取る原稿サイズ、生成する画像データのファイル形式、カラー／モノクローム設定、解像度、圧縮形式、圧縮率などの情報である。制御部１０は、図７に示した設定情報の設定・編集画面にて、受信した設定情報の内容をデフォルトとして反映させる。これによりユーザは、図７に示した画面で設定内容を変更する操作を行なうことなくスキャンスタートボタン上のタッチパネルに触れてスキャンを実行させる可能性が高まる。
【００７３】
また、複合機１の制御部１０は、モバイルスキャン、即ち画像読取部１５による画像処理により得られた画像データの送信先の情報を要求してもよい。送信先を、接続してきた通信装置２とする場合、送信先の情報は、複合機１が発行したネットワーク識別情報以外に、通信装置２の電子メールアドレス、又は電話番号でもよい。送信先を、接続してきた通信装置２以外の通信装置とする場合、当該通信装置の電子メールアドレス又は電話番号でもよい。複合機１が通信部１４以外の通信機能により企業内、公共施設内又は家庭内のＬＡＮに接続しており、また他の通信装置が同様にＬＡＮに接続しているときには、当該ＬＡＮ内での他の通信装置のＩＰアドレスでもよい。送信先を、通信装置２及び他の通信装置が接続できる記録装置である場合、送信先の情報は当該記録装置のＩＰアドレス等であってもよい。
【００７４】
更に、複合機１の制御部１０は、モバイルプリント、即ち画像形成部１６による画像処理を実行する際の印刷出力対象の画像データを要求する。なおこのとき制御部１０は、通信装置２からの接続要求に、プリントを指定した実行要求を含む接続要求を受信する。制御部１０は、圧縮されたサムネイルからなるリストを要求してもよいし、画像データ自体を要求してもよい。更に、画像データの印刷出力の設定情報を要求してもよい。印刷出力の設定情報は、印刷サイズ設定、カラー／モノクローム設定、印刷品質設定等である。これにより、ユーザは通信装置２から画像データを送信させる操作をすることなく、複合機１の表示部１１ａに表示されたリストから、プリントする画像を選択し、プリントスタートさせる操作をすればよい。
【００７５】
また、複合機１の制御部１０は、即ち画像読取部１５による画像処理により得られた画像データの送信先の情報として、複合機１のアドレス帳に通信装置２からの情報を追加すべく、アドレス情報を要求してもよい。送信先を、通信装置２以外の通信装置であって通信装置２に登録されたアドレス情報の通信装置とする場合、複合機１のアドレス帳のデータに追加することにより、ユーザの操作が簡略化する。
【００７６】
（実施の形態３）
実施の形態３では、複合機１が通信装置２の接続を検知し、図６の画面例に示したような操作画面へ変更し、アイコン１１４、アイコン１１５又はアイコン１１３上のタッチパネルが触れられた場合に、夫々の操作に応じて制御部１０が通信装置２へ情報の送信を要求する。
【００７７】
実施の形態３における画像処理システムのハードウェア的な構成は、実施の形態１における構成と同様である。したがって、実施の形態１と共通する構成には同一の符号を付して、夫々の詳細な説明を省略する。
【００７８】
図９及び図１０は、実施の形態３における複合機１にて実行される処理手順の一例を示すフローチャートである。
【００７９】
複合機１の制御部１０は、通信部１４により通信装置２からの接続要求を受信したか否かを判断する（ステップＳ３０１）。制御部１０は、接続要求を受信していないと判断した場合（Ｓ３０１：ＮＯ）、処理をステップＳ３０１へ戻し、接続要求を受信したと判断するまで待機する。
【００８０】
この間に、通信装置２の制御部２０は、アクセスポイント即ち複合機１の通信部１４を検索し、複合機１のＳＳＩＤ等の識別情報を取得し、取得した識別情報に基づき、複合機１へ接続要求を送信する。なお、制御部２０は、検索を行なうことなしに操作部２１ｂにより直接的にユーザから入力される複合機１のＳＳＩＤを取得するようにしてもよい。
【００８１】
制御部１０は、ステップＳ３０１にて接続要求を受信したと判断した場合（Ｓ３０１：ＹＥＳ）、通信装置２との無線通信接続を確立すべく、通信装置２のネットワーク識別情報を発行し（ステップＳ３０２）、通信装置２へ送信する（ステップＳ３０３）。ステップＳ３０２は具体的には、制御部１０はＩＰアドレスを割り当てる。これにより、複合機１と通信装置２と間の無線通信接続が確立される。
【００８２】
次に制御部１０は、表示部１１ａに表示している操作画面を通信装置２との間で送受信する情報に基づく画像処理に関する操作画面へ変更する（ステップＳ３０４）。このとき表示される変更後の操作画面は、実施の形態１における図６に示した画面例と同様である。
【００８３】
制御部１０は、変更後の操作画面にて操作を受け付ける（ステップＳ３０５）。制御部１０は、操作部１１ｂにより受け付けた操作にて選択された機能が、「モバイルスキャン」であるか、「モバイルプリント」であるか、又は「アドレス一覧」のいずれであるか判断する（ステップＳ３０６）。
【００８４】
制御部１０は、ステップＳ３０６にて、「モバイルスキャン」を選択されたと判断した場合（Ｓ３０６：モバイルスキャン）、画像読取部１５による画像処理を実行する際の設定情報を要求する（ステップＳ３０７）。制御部１０は、要求した設定情報を受信したか否かを判断し（ステップＳ３０８）、受信していないと判断した場合（Ｓ３０８：ＮＯ）、処理をステップＳ３０８へ戻し、受信したと判断するまで待機する。制御部１０は、要求した設定情報を受信したと判断した場合（Ｓ３０８：ＹＥＳ）、受信した設定情報に基づき、表示部１１ａに表示している操作画面を変更する（ステップＳ３０９）。ステップＳ３０９における変更後の操作画面は、実施の形態１の図７に示したような画面であり、受信した設定情報に内容が反映されて変更されてある。これにより、ユーザは、ステップＳ３０５にて「モバイルスキャン」のアイコン１１４上のタッチパネルを触れたのみで、通信装置２に保存されてある設定情報に基づくスキャンを開始するスキャンスタートボタンの表示までたどり着くことができ、操作は簡略化される。
【００８５】
なお制御部１０は、受信した設定情報を基礎として操作部１１ｂにて設定の変更を受け付けてもよい（ステップＳ３１０）。制御部１０は、受信した設定情報が示す設定、又はステップＳ３１０にて受け付けた設定に基づき、画像読取部１５による画像読取（スキャン）を実行し（ステップＳ３１１）、画像読取部１５によって生成した画像データを通信装置２へ送信する（ステップＳ３１２）。
【００８６】
制御部１０は、画像読取部１５によって生成した画像データを通信装置２へ送信する以外に、他の通信装置からも取得することが可能なように、他の通信装置からも共有可能な記憶部１３内のパス情報などである提供情報を作成し（ステップＳ３１３）、作成した提供情報を通信装置２へ送信し（ステップＳ３１４）、モバイルスキャンの機能に係る処理を終了する。なお、ステップＳ３１３における提供情報は、他の通信装置自体の電子メールアドレス、電話番号等でもよいし、記憶部１３以外の他の共有可能な記録装置上のパス情報でもよい。ステップＳ３１１の処理により生成された画像データをＵＲＬで示されるサーバ上に記録すべく当該サーバへ送信し（Ｓ３１２）、提供情報として当該ＵＲＬを作成し、通信装置２へ送信するようにしてもよい。また、複合機１が通信部１４以外の通信機能により接続している企業内、公共施設内又は家庭内のＬＡＮに接続しており、生成した画像データの送信先を当該ＬＡＮ内の通信装置、又はサーバ、記録装置とする場合、これらの送信先から画像データを取得するためのパス情報、ＵＲＬ情報を提供情報として作成し、通信装置２へ送信してもよい。
【００８７】
制御部１０は、ステップＳ３０６にて、「モバイルプリント」を選択されたと判断した場合（Ｓ３０６：モバイルプリント）、画像形成部１６による画像処理を実行するために、印刷出力対象の画像データのリスト（画像の識別情報及びサムネイル等）を要求する（ステップＳ３１５）。制御部１０は、要求した画像データのリストを受信したか否かを判断し（ステップＳ３１６）、受信していないと判断した場合（Ｓ３１６：ＮＯ）、処理をステップＳ３１６へ戻し、受信したと判断するまで待機する。制御部１０は、要求した画像データのリストを受信したと判断した場合（Ｓ３１６：ＹＥＳ）、受信したリストに基づき、表示部１１ａに、画像データの一覧（サムネイル）を表示させるように画面を変更する（ステップＳ３１７）。
【００８８】
図１１は、実施の形態３における画像データの一覧が表示される画面例を示す説明図である。図１１の例では、通信装置２の識別情報である「mobile1 」から、受信した画像データのサムネイルが一覧表示されている。ユーザは、表示されているサムネイルをいずれも選択することが可能である。
【００８９】
図９及び図１０のフローチャートに戻り、説明を続ける。
制御部１０は、ステップＳ３１７で表示している画面上のタッチパネルにユーザが触れて選択する操作を操作部１１ｂで受け付け（ステップＳ３１８）、選択された画像データ（サムネイルではない）の送信を要求する（ステップＳ３１９）。制御部１０は、要求した画像データを受信したか否かを判断し（ステップＳ３２０）、受信していないと判断した場合（Ｓ３２０：ＮＯ）、処理をステップＳ３２０へ戻して受信したと判断するまで待機する。制御部１０は、要求した画像データを受信したと判断した場合（Ｓ３２０：ＹＥＳ）、画像形成部１６により、受信した画像データに基づく印刷出力を行ない（ステップＳ３２１）、モバイルプリントの機能に係る処理を終了する。
【００９０】
これによりユーザは、通信装置２を操作して複合機１に接続させ、複合機１の表示部１１ａに表示される変更後の操作画面で「モバイルプリント」のアイコン１１５上のタッチパネルに触れるという操作のみで、図１１に示したような操作画面にたどり着くことが可能である。ユーザは、図１１に示したような画像データのリストから所望の画像を選択した状態でプリントスタートボタン上のタッチパネルに触れることにより、選択した画像データの印刷出力を複合機１に実行させることができる。このように、ユーザの操作を簡略化させることが可能である。
【００９１】
制御部１０は、ステップＳ３０６にて、「アドレス一覧」を選択されたと判断した場合（Ｓ３０６：アドレス一覧）、通信装置２から得られるアドレス情報を複合機１に登録する処理を行なうべく、アドレス情報を要求する（ステップＳ３２２）。制御部１０は、要求したアドレス情報を受信したか否かを判断し（ステップＳ３２３）、受信していないと判断した場合（Ｓ３２３：ＮＯ）、処理をステップＳ３２３へ戻し、受信したと判断するまで待機する。制御部１０は、要求したアドレス情報を受信したと判断した場合（Ｓ３２３：ＹＥＳ）、受信したアドレス情報を表示させるアイコンを含むアドレス一覧表示の画面に変更する（ステップＳ３２４）。
【００９２】
図１２は、実施の形態３におけるアドレス一覧の画面例を示す説明図である。図１２に示す例では、複合機１に予め登録してあるアドレス情報が、５０音順に表示されている。図１２に示す例では、アドレス情報は、宛先の識別情報（名前）、電話番号、及び電子メールアドレスを含む。ステップＳ３２４に処理により、アドレス情報の一覧表示には、通信装置２から受信したアドレス情報を表示させるモバイルというアイコン１１６が表示されている。
【００９３】
図１３は、通信装置２から受信したアドレス情報の一覧表示画面の例を示す説明図である。図１２に示した画面例で、アイコン１１６上のタッチパネルにユーザが触れた場合に、制御部１０が操作部１１ｂによりこれを検知し、図１３に示す画面例を表示させる。図１３の例では、通信装置２の識別情報である「mobile1 」から、受信したアドレス情報が一覧表示されている。図１３の例では、制御部１０はステップＳ３２３にて通信装置２から、宛先「user1 」及び「user2 」の電子メールアドレスを受信している。ユーザは、表示されている「user1 」のアドレス情報及び「user2 」のアドレス情報のいずれも選択することが可能である。ユーザがいずれかのアドレス情報上のタッチパネルに触れて当該アドレス情報を選択し、同一の画面内に表示されている登録ボタン上のタッチパネルに触れることにより、制御部１０はアドレス情報が選択されたことを検知し、登録処理を行なう。
【００９４】
図９及び図１０のフローチャートに戻り、説明を続ける。
制御部１０は、通信装置２から受信したアドレス情報の内、登録するアドレス情報の選択を受け付ける（ステップＳ３２５）。ステップＳ３２５の処理の詳細は上述したように、通信装置２から受信したアドレス情報の一覧表示画面にて、アドレス情報の選択及び登録ボタンのタッチを検知することで実現される。制御部１０は、選択されたアドレス情報を記憶部１３のアドレス帳に追加して記憶し（ステップＳ３２６）、通信装置２からの情報に基づくアドレス情報登録の処理を終了する。
【００９５】
これによりユーザは、通信装置２を操作して複合機１に接続させ、「アドレス一覧」のアイコン１１３上のタッチパネルに触れると操作により、「モバイル」のアイコン１１６が表示された操作画面にたどりつくことができ、アイコン１１６上にタッチパネルにふれたあと、所望のアドレス情報を選択して登録ボタンに触れるという操作により、通信装置２に登録されているアドレス情報を複合機１に登録させることができる。複合機１が通信装置２から自動的にアドレス情報を取得し、取得したアドレス情報を表示して選択を受け付ける画面を表示するので、ユーザの操作を簡略化させることが可能である。
【００９６】
（実施の形態４）
実施の形態１から３では、通信装置２が複合機１に接続してきた場合に、操作画面を適宜変更して操作を簡略化させる処理について説明した。実施の形態４では、通信装置２と複合機１との通信が切断された場合に、操作画面を変更する処理について説明する。
【００９７】
実施の形態４における画像処理システムのハードウェア的な構成は、実施の形態１における構成と同様である。したがって、実施の形態１と共通する構成には同一の符号を付して、夫々の詳細な説明を省略する。
【００９８】
図１４は、実施の形態４における複合機１にて実行される処理手順の一例を示すフローチャートである。図１４に示す処理手順は、実施の形態１から３で説明したように通信装置２と複合機１との間の通信接続が確立された後、図３、図８〜図１０に示す処理とは独立的に、随時実行される。
【００９９】
複合機１の制御部１０は、通信部１４により通信装置２との接続が切断されたか否かを判断する（ステップＳ４１）。
【０１００】
制御部１０は、ステップＳ４１にて切断されたと判断した場合（Ｓ４１：ＹＥＳ）、操作画面を戻すか否かの選択を受け付ける（ステップＳ４２）。ステップＳ４２にて具体的には、制御部１０は、操作画面を戻すか否かの選択を受け付ける画面（ダイアログ）を表示部１１ａに表示させる。図１５は、通信装置２との通信が切断されたと判断した場合に複合機１が表示する画面例を示す説明図である。図１５の例では、通信装置２との接続が切断された旨のメッセージと、通信装置から取得した情報を複合機１に記憶させるかを問い合わせるメッセージとが表示されている。ここで「はい」が選択された場合、操作画面を初期的画面（図４参照）へ戻さないことが選択される。逆に「いいえ」が選択された場合、操作画面を初期的画面へ戻すことが選択される。
【０１０１】
図１４のフローチャートに戻り説明を続ける。
制御部１０は、ステップＳ４２にて操作画面を戻す選択がされたか否かを判断する（ステップＳ４３）。制御部１０は、操作画面を戻す選択がされたと判断した場合（Ｓ４３：ＹＥＳ）、それまで実行していた処理を中断して操作画面を初期的画面へ戻し（ステップＳ４４）、処理を終了する。なおステップＳ４４にて操作画面を初期的画面へ戻すのみならず、一時記憶部１２等に一時的に記憶していた情報も削除するなどしてよい。
【０１０２】
制御部１０は、操作画面を戻す選択がされていないと判断した場合（Ｓ４３：ＮＯ）、そのまま処理を終了する。この場合、変更後の操作画面の表示が維持される。
【０１０３】
このように、通信装置２との通信接続が切断された場合に、自動的に操作画面を初期的画面へ戻すことにより、ユーザの操作を簡略化できる。上述の処理手順に示したように、初期的画面へ戻すか否かの選択を受け付けることにより、ユーザの意図に反して通信接続が切断された場合に、操作が煩雑となること防ぐことも可能となる。このような状況として例えば、接続は切断された状態であったとしても、アドレス情報の複合機１への記憶は実行させたい場合などが考えられる。また、通信接続は切断されたとしても、一旦複合機１へ送信された画像データに基づく印刷出力は続行させたい場合が考えられる。途中で通信不良により切断され、再度画像データの送受信から再開するとすれば、ユーザの操作が煩雑である。また、通信接続は切断されたとしても、スキャンにより生成された画像データを他の記録装置へ送信するなどの処理を続行させたい場合が考えられる。この場合も、処理の途中で通信不良により切断されたとしても、送信先が通信装置２ではない場合、そのまま処理を続行しても問題はないし、送信先が通信装置２であった場合でも、接続が復帰した時点で所定時間以内であるときには画像データの送信を実行することが望まれる場合などが考えられる。
【０１０４】
また制御部１０は、ステップＳ４１にて、通信装置２との接続は有効であり、切断されていないと判断した場合（Ｓ４１：ＮＯ）、直近の操作から一定期間（例えば５分）が経過したか否かを判断する（ステップＳ４５）。制御部１０は、一定期間が経過していないと判断した場合（Ｓ４５：ＮＯ）、処理をステップＳ４１へ戻す。制御部１０は、一定期間が経過したと判断した場合（Ｓ４５：ＹＥＳ）、操作が中断されたと判断して操作画面を初期的な画面へ戻し（Ｓ４４）、処理を終了する。この場合も、一時記憶部１２等に一時的に記憶していた情報も削除するなどしてよい。
【０１０５】
このように、何ら操作もされないままに一定期間が経過した場合には、操作が中断されたとして自動的に初期的画面へ戻すことにより、中断された操作に関して異なるユーザによって誤った操作が行なわれるなどの事態の発生を防止することができる。
【０１０６】
（実施の形態５）
実施の形態１から４では、複合機１の表示部１１ａには、初期的画面（図４参照）が表示されており、通信装置２が接続されたときに、通信装置２との間で送受信される情報に基づく処理に関する操作画面へ変更する構成とした。これに対し実施の形態５では、通信装置２が接続されるまでは、初期的な操作画面を表示しているとしても操作を受け付けない構成とする。
【０１０７】
実施の形態５における画像処理システムのハードウェア的な構成は、実施の形態１における構成と同様である。したがって、実施の形態１と共通する構成には同一の符号を付し、夫々の詳細な説明を省略する。
【０１０８】
図１６は、実施の形態５における複合機１にて実行される画面変更手順の一例を示すフローチャートである。
【０１０９】
複合機１の制御部１０は、通信部１４により通信装置２からの接続要求を受信したか否かを判断する（ステップＳ５１）。この時点で例えば、表示部１１ａには操作画面は表示されていないとする。なお、操作画面は表示しておくが、表示輝度を低くしておくなどでもよい。
【０１１０】
制御部１０は、接続要求を受信していないと判断した場合（Ｓ５１：ＮＯ）、操作部１１ｂが操作されたか否かを判断する（ステップＳ５２）。ステップＳ５２では制御部１０は、操作部１１ｂのタッチパネルが触れられたか、又は他のハードウェアキー等が押下された場合に操作されたと判断する。制御部１０は、操作部１１ｂが操作されていないと判断した場合（Ｓ５２：ＮＯ）、処理をステップＳ５１へ戻し、待機する。
【０１１１】
制御部１０は、ステップＳ５２にて、接続要求を受信していないにも拘らず操作部１１ｂが操作されたと判断した場合（Ｓ５２：ＹＥＳ）、操作を受け付けない旨のメッセージを表示部１１ａに表示させ（ステップＳ５３）、処理をステップＳ５１へ戻して待機する。図１７は、実施の形態５にて表示部１１ａに表示されるメッセージの例を示す説明図である。図１７に示すように、表示部１１ａには通信装置２が通信接続されるまで利用できないことを示すメッセージが示されている。これにより、通信装置２が接続されるまでは、ユーザが操作部１１ｂに触れたとしても、操作は受け付けられず、画像処理は実行されない。
【０１１２】
図１６のフローチャートに戻り、説明を続ける。
制御部１０は、接続要求を受信したと判断した場合（Ｓ５１：ＹＥＳ）、通信装置２との無線通信接続を確立すべく、通信装置２のネットワーク識別情報を発行し（ステップＳ５４）、通信装置２へ送信する（ステップＳ５５）。これにより、複合機１と通信装置２との間の無線通信接続が確立される。
【０１１３】
次に制御部１０は、表示部１１ａに表示している操作画面を通信装置２との間で送受信する情報に基づく画像処理に関する操作画面（図６）を表示し（ステップＳ５６）、待機状態となる。以後、ユーザが操作部１１ｂに触れた場合、操作が受け付けられる。
【０１１４】
制御部１０は、表示した操作画面に対応する操作を受け付け（ステップＳ５７）、操作に応じて画像読取部１５によるスキャン、又は画像形成部１６によるプリントの画像処理を実行し（ステップＳ５８）、処理を終了する。
【０１１５】
これにより、通信装置２を携帯し、プリントスキャン用のアプリを起動させ、複合機１に接続させたユーザのみ、複合機１を操作できることになる。したがって、画像処理に関する操作が錯綜することを防止することが可能である。
【０１１６】
（実施の形態６）
実施の形態６では、複合機１は、通信装置２と接続した場合に、当該通信装置２に固有に対応する画面（カスタムメニュー）へ操作画面を変更する。
【０１１７】
実施の形態６における画像処理システムのハードウェア的な構成は、通信装置２の記憶部２２に記憶されている後述の情報以外は、実施の形態１における構成と同様である。したがって、実施の形態１と共通する構成には同一の符号を付し、夫々の詳細な説明を省略する。
【０１１８】
実施の形態６において通信装置２の記憶部２２のフラッシュメモリには、プリントスキャン用アプリに対応させて、複合機１での通信装置２用の操作画面の構成を定義するＵＩ（User Interface）定義情報が記憶されている。ＵＩ定義情報は例えば、ＨＴＭＬ形式、ＸＭＬ形式等で記述された情報である。なおこの場合、複合機１はＷｅｂブラウザ機能を備え、当該Ｗｅｂブラウザ機能により、通信装置２から送信されるＵＩ定義情報を読み出して、通信装置２用の操作画面を作成、表示する。
【０１１９】
このようなＵＩ定義情報を用いて複合機１における操作画面を通信装置２に固有に変更する手順について、以下に説明する。
【０１２０】
図１８は、実施の形態６における画像処理システムにて実行される処理手順の一例を示すフローチャートである。
【０１２１】
通信装置２の制御部２０は、プリントスキャン用アプリが起動された場合、通信部２３によりアクセスポイントを検索する（ステップＳ６０１）。検索結果のアクセスポイントの情報を表示部２１ａに表示させ（ステップＳ６０２）、複合機１に対応するアクセスポイントの選択を受け付ける（ステップＳ６０３）。制御部２０は、複合機１のアクセスポイント（通信部１４）へ、接続要求を送信する（ステップＳ６０４）。なお、ステップＳ６０４にて、通信装置２の制御部２０は、スキャン又はプリントなど、複合機１にて実行されるべき画像処理が決まっている場合、当該画像処理内容に応じたカスタムメニューの表示を指定する実行要求を含む接続要求を送信する。
【０１２２】
複合機１の制御部１０は、通信装置２からの接続要求を受信し（ステップＳ６０５）、通信装置２との無線通信接続を確立すべく、通信装置２のネットワーク識別情報を発行する（ステップＳ６０６）。制御部１０は、発行したネットワーク識別情報を通信装置２へ送信する（ステップＳ６０７）。
【０１２３】
通信装置２の制御部２０は、送信されたネットワーク識別情報を受信する（ステップＳ６０８）。これにより、複合機１と通信装置２との間の無線通信接続が確立される。
【０１２４】
複合機１の制御部１０は、接続要求に基づき、通信装置２から、カスタムメニューについての情報取得が必要か否かを判断する（ステップＳ６０９）。具体的には制御部１０は、受信した接続要求に、カスタムメニューの表示を指定した実行要求が含まれている場合、カスタムメニューの情報が必要であると判断する。
【０１２５】
制御部１０は、情報取得が必要でないと判断した場合（Ｓ６０９：ＮＯ）、表示部１１ａに表示している画面を、予め設定されている通信装置２との間で送受信する情報に基づく画像処理に関する操作画面へ変更し（ステップＳ６１０）、待機状態となる。操作画面は例えば、通信装置２が接続されたことに応じて選択できる機能が増えた画面（図６参照）である。
【０１２６】
制御部１０は、ステップＳ６０９にて、カスタムメニューについての情報取得が必要であると判断した場合（Ｓ６０９：ＹＥＳ）、通信装置２へＵＩ定義情報の送信要求を送信する（ステップＳ６１１）。
【０１２７】
通信装置２では、制御部２０が通信部２３により、複合機１からのＵＩ定義情報の送信要求を受信し（ステップＳ６１２）、記憶部２２のフラッシュメモリに記憶されているＵＩ定義情報を読み出して複合機１へ送信する（ステップＳ６１３）。
【０１２８】
複合機１の制御部１０は、ステップＳ６１１にて要求したＵＩ定義情報を受信し（ステップＳ６１４）、受信したＵＩ定義情報を一時記憶部１２に一時的に記憶する（ステップＳ６１５）。制御部１０は、受信したＵＩ定義情報に基づき操作画面を変更し（ステップＳ６１６）、待機状態となる。
【０１２９】
これにより、ユーザは、自身が所持する通信装置２を複合機１へ接続させるのみで、複合機１の操作画面を、通信装置２を所有するユーザの利用目的に合ったユーザインタフェースへ変更することができる。ユーザが実際に利用するサービス用の操作画面が直接的に表示されるので、操作は簡略化される。
【０１３０】
なお、上述した実施の形態１から６に示した処理は、夫々組み合わせて実施することも可能である。
【０１３１】
なお、開示された実施の形態は、全ての点で例示であって制限的なものではないと考えられるべきである。本発明の範囲は上述の説明ではなくて特許請求の範囲によって示され、特許請求の範囲と均等の意味及び範囲内での全ての変更が含まれることが意図される。
【符号の説明】
【０１３２】
１  複合機（画像処理装置）
１０  制御部
１１  入出力部
１１ａ  表示部
１１ｂ  操作部
１１４，１１５  アイコン（インタフェース）
１２  一時記憶部
１３  記憶部
１４  通信部
１５  画像読取部（生成手段）
１６  画像形成部（印刷手段）
２  通信装置
２０  制御部
２１  入出力部
２１ａ  表示部
２１ｂ  操作部
２２  記憶部
２３  通信部
【図１】
2020092406.tif 000003
【図２】
2020092406.tif 000004
【図３】
2020092406.tif 000005
【図４】
2020092406.tif 000006
【図５】
2020092406.tif 000007
【図６】
2020092406.tif 000008
【図７】
2020092406.tif 000009
【図８】
2020092406.tif 000010
【図９】
2020092406.tif 000011
【図１０】
2020092406.tif 000012
【図１１】
2020092406.tif 000013
【図１２】
2020092406.tif 000014
【図１３】
2020092406.tif 000015
【図１４】
2020092406.tif 000016
【図１５】
2020092406.tif 000017
【図１６】
2020092406.tif 000018
【図１７】
2020092406.tif 000019
【図１８】
2020092406.tif 000020